Podtech/llm-jp-corpus-v4-ja_patent huggingface dataset:
(57)【要約】      （修正有）【課題】使用済のタイヤを再利用することにより従来のものより軽量化され、着工から海底へ設置までの作業工程は簡易となり、施工費が軽減される。【解決手段】金属棒２で連結固定され、コンクリート３で固定された複数個のタイヤブロックを三角形に積み上げ、同型のものを４枚合わせピラミッド型にし全ての接続部分はロープ４を巻きつける。【選択図】図３
2005229978.tif 000002
【特許請求の範囲】
【請求項１】
自動車等の使用済みタイヤ複数個を金属棒で連結し、三角形を形成する。タイヤ内部はコンクリートを詰め、同型のものを４枚合わせピラミッド型とした魚礁。
尚、タイヤとタイヤの接する箇所は全て金属棒で連結固定し、連結した箇所はロープを３・４回巻きつけたもの。
【発明の詳細な説明】
【技術分野】
【０００１】  この発明は、タイヤにコンクリートを詰め、複数個連結固定したものに、ロープを３・４回巻きつけピラミッド型とした魚礁に関するものである。
【背景技術】
【０００２】  従来，魚礁はコンクリート製のものが主流である。
【発明の開示】
【発明が解決しようとする課題】
【０００３】  コンクリート製の魚礁は、重量があるため製造、運搬、海底への設置等に多大な費用と労力を要する為施工単価が高額のうえ、凹凸が少ないため海藻の活着にかなりの期間を要していた。
本発明は、以上のような欠点をなくすために考案したものである。
【課題を解決するための手段】
【０００４】  コンクリート詰めしたタイヤを複数個連結固定したものを三角形にし、同型のものを４枚合わせピラミッド型とし連結部分にロープを３・４回巻きつける。
以上の構成による魚礁である。
【発明の効果】
【０００５】  従来のコンクリート製に比べ軽量で製造も簡単で施工費用も安い。
巻きつけたロープには海藻が活着しやすく更に凹凸面が増したことにより幼稚子魚の隠れ場、及び付着生物等の餌料効果による増殖機能が強化される。
現在、不法に投棄されている使用済タイヤの再利用により環境改善に貢献できる。
【発明を実施するための最良の形態】
【０００６】  以下、本発明の実施について説明する。
（イ）タイヤ１とタイヤ１の接する箇所に穴をあけ金属棒２で連結固定する。
（ロ）底辺にタイヤ１を４本使用する場合は、その上に３本、更にその上に２本、次に      １本と連結し、三角形を形成し、同型のものを４枚合わせピラミッド型としタイヤ      部分をコンクリート３で固定する。
（ハ）タイヤ１とタイヤ１の接する箇所は全てロープ４を３・４回巻いて連結を強める      と共に海藻の活着しやすい環境とする。
【図面の簡単な説明】
【０００７】
【図１】  本発明の斜視図
【図２】  本発明の正面、側面図
【図３】  本発明の一部の断面図
【符号の説明】
【０００８】  １  タイヤ    ２  金属棒    ３  コンクリート    ４  ロープ
【図１】
2005229978.tif 000003
【図２】
2005229978.tif 000004
【図３】
2005229978.tif 000005
(57)【要約】【課題】  従来の麺は、全体の素材が同一であったので、一種類の麺の生地の食感や味だけであった。主な素材が小麦の麺に、主な素材が餅米の部分の食感や味を加えて、味わいを深めた麺を作ることが目的である。【解決手段】  主な素材が餅米の部分（１）を、主な素材が小麦の部分（２）で覆う。麺を茹でた時に内部に熱が伝わり、内側の主な素材が餅米の部分（１）が柔らかくなる。主な素材が小麦の部分の食感や味に加えて、主な素材が餅米の部分の食感や味を備えた、麺になる。【選択図】  図１
2005229975.tif 000002
【特許請求の範囲】
【請求項１】
内側の部分の素材が主に餅米で、表面の部分の素材が主に小麦の麺。
【発明の詳細な説明】
【発明の詳細な説明】
【技術分野】
【０００１】  この発明は、内側の部分の素材が主に餅米で、表面の部分の素材が主に小麦の麺に関するものである。
【背景技術】
【０００２】  従来の麺は、全体の素材が、同一であった。
【発明が解決しようとする課題】
【０００３】  従来の麺は、全体の素材が同一であったので、一種類の麺の生地の食感や味だけであった。主な素材が小麦の麺に、主な素材が餅米の部分の食感や味を加えて、味わいを深めることを課題として研究をすすめた。
【課題を解決するための手段】
【０００４】  餅米は、熱を加えて柔らかくすると、容器や他の食材等に付着しやすい素材なので、麺類には不向きな素材である。主な素材が餅米の生地の食感や味を備えた麺を作るには、表面を、主な素材が小麦の生地で覆うのがよいと考えた。そうすると、主な素材が餅米の内側の部分が、容器や他の食材等に接触しないので、麺が容器や他の食材等に付着することがない。表面の、主な素材が小麦の部分の食感や味に加えて、内側の、主な素材が餅米の部分の食感や味を備えた、麺を作ることができることを発見した。
【発明を実施するための最良の形態】
【０００５】  以下、本発明の実施の形態について説明する。主な素材が餅米の部分（１）を、主な素材が小麦の部分（２）で覆う。
本発明は以上のような構成であるから、麺を茹でた時に内部に熱が伝わり、内側の主な素材が餅米の部分（１）が、柔らかくなる。主な素材が小麦の部分（２）の食感や味に加えて、主な素材が餅米の部分（１）の食感や味を備えた麺になる。
【発明の効果】
【０００６】  本発明を使用することによって、内側の主な素材が餅米の部分が柔らかくなった時に、主な素材が餅米の内側の部分が、容器や他の食材等に接触しないので、麺が容器や他の食材等に付着することがない。主な素材が餅米の内側の部分を覆っているのが、主な素材が小麦の部分なので、表面の主な素材が小麦の部分の食感や味に加えて、内側の主な素材が餅米の部分の食感や味を備えた、麺を作ることができる。
【図面の簡単な説明】
【図１】  本発明の断面図
【図２】  従来の麺の断面図
【符号の説明】
（１）は、主な素材が餅米の部分
（２）は、主な素材が小麦の部分
（３）は、全体の素材が同一の麺
【図１】
2005229975.tif 000003
【図２】
2005229975.tif 000004
(57)【要約】【課題】  鉤にハリスを直接巻きつける方法は指先に神経を使い時間もかかり、巻きつけに失敗するとパーマができてその部分を切断してやり直さねばならなかったが、それ等の問題を解消するために、ハリス抜け防止圧延部に楕円型及び胡麻型状又は雫型状の打ち抜き孔を開け、その孔を利用して簡単に楽により早く確実にハリスを結びつけられる新しい結び方の釣り鉤を提供する。【解決手段】  ハリス抜け防止の圧延部図１の１に図示の打ち抜き孔２を開け、ハリスを結ぶ箇所の断面を円型及び楕円型となるように角取り滑らか部３として加工し、その孔に図２のハリスを一回潜らせる▲１▼とし、ハリスを二回潜らせる▲２▼とし、ハリスの末端を二つの輪に一回巻きつけるように潜らせる▲３▼とし、ハリスの末端を二つの輪に二回巻きつけるように潜らせて、前後のハリスを引っ張って強く締め付ける▲４▼とし鉤にハリスを結びつける方法は完了する。【選択図】  図２
2005229977.tif 000002
【特許請求の範囲】
【請求項１】
従来の釣り鉤を製造する過程のハリス抜け防止のための圧延部に、あらかじめ適宜のＲ型状の型となるような金型を当てて適宜の大きさに圧延し、または圧延したあとにＲ型状となるように成型し、その圧延部に楕円型及び胡麻型状又は雫型状に打ち抜くが、胡麻型状又は雫型状ではＲ部方向をハリス側とし、鉤先方向は先細型状として打ち抜き、出来た孔のハリス側のＲ部の角を取るその断面は円型または楕円型の滑らかになるように加工する。その鉤にハリスを結びつける方法は新．本結びの結び方で行う。
【発明の詳細な説明】
【発明の詳細な説明】
【技術分野】
【０００１】本発明は、鉤の圧延部に孔を開けその孔を用いて今だ用いられていない新しい結び方ができるように改良なされたものである。
【背景技術】
【０００２】従来釣り鉤にハリスを結びつける方法は、鉤にハリスを直接巻きつける目的で作られていたが、本来そのような巻きつける行為というものは時間がかかるだけではなく手先に細心の注意を向けつつ更に、作った輪に巻きつけたハリスの先端を潜らせ更に、巻きつけがゆるまないようにそのハリスの先端を引っ張って締付けなければならないが、そのような一連の行為に於ては失敗してやり直すこともあったし、その場合ハリスにパーマがかかってしまうのでそのパーマ部分を切断してやり直さねばならなかった。
【発明が解決しようとする課題】
【０００３】従来は、鉤の針金に本結びまたは外掛け結び等によって適宜の回数巻きつけて締付ける方法であったが、本結びの場合、小物釣り鉤は小さすぎて指先の結び代が無くなって結べないという欠点があり、また外掛け結びを細目のハリスを用いて最後に輪に潜らせて仕上げで引っ張る時、気をつけたつもりでもパーマになる欠点がある。また大き目の鉤であっても、時を争う漁場で本結びや外掛け結びや漁師結びを行うことに於ては、基本的に指先に神経を集中して鉤の狭い針金の部分に巻きつけたり潜らせる行為というものは合理性に欠ける方法だと言えるし、結びに失敗するとパーマとなりそのパーマとなった部分を切断しなければ再び結ぶことは出来なかった。以上に上げた三つの結び方は、人間に於ても機械に於ても時間がかかる方法であり、避けるべき結び方と言える。本発明はそれ等の課題を解消するためになされたものである。
【課題を解決するための手段】
【０００４】新．本結びとするためにはハリス抜け防止の圧延部図１の１を楕円型及び胡麻型状または雫型状の打ち抜き孔２を開け、孔のハリス側のＲ部をハリスの結びをしっかりさせるためにその断面を円型または楕円となるように角取り滑らか部３とする。製造された鉤の打ち抜き孔２にハリスを一回潜らせる図２の▲１▼とし、ハリスを二回潜らせてる▲２▼とし、できた二つの輪にハリスの末端を一つの輪に一回巻きつけるように潜らせる▲３▼とし、ハリスの末端を二つの輪に二回巻きつけるように潜らせて、前後のハリスを引っ張って強く締め付ける▲４▼とし、要易に一本の仕掛けを完成できる。
【発明を実施するための最良の形態】
【０００５】以下、発明の実施の形態について説明する。
（イ）図１の１となるように圧延し、圧延部に打ち抜き孔２を開けハリス締め付け部を角取り滑らか部３として一本の鉤を完成させる。
（ロ）図２のハリスと鉤を結びつける方法として、打ち抜き孔図１の２に図２の▲１▼のごとく一回ハリスを潜らせ、二回ハリスを潜らせ▲２▼とし、ハリスの末端を二つの輪に巻きつけるように一回潜らせ▲３▼とし、二回潜らせ巻きつけたあと前後のハリスを引っ張って強く締め付け▲４▼とし、一本の仕掛けの取り付けを完了させる。
【発明の効果】
【０００６】本発明の新しい結び方を実践することによって、機械でも人間の手で結んでも時間の短縮が成され楽に確実に結びつけることができるし、作る二つの輪が大きいためにパーマになる心配がなくパーマとなったハリスをやむをえず切断する手間も掛らない。
【図面の簡単な説明】
【図１】本発明の従来のハリス抜け防止圧延部に、ハリスを結びつけるための孔を開けた平面図である。
【図２】本発明の新．本結びの結び方を示した平面図である。
【符号の説明】
【図１】
１    圧延部
２    打ち抜き孔
３    角取り滑らか部
【図２】
▲１▼    ハリスを一回潜らせる
▲２▼    ハリスを二回潜らせる
▲３▼    ハリスの末端を二つの輪に一回巻きつけるように潜らせる
▲４▼    ハリスの末端を二つの輪に二回巻きつけるように潜らせて、前後のハリスを引っ張って強く締め付ける
【図１】
2005229977.tif 000003
【図２】
2005229977.tif 000004
(57)【要約】【課題】  従来、乾燥製品は水と混合することにより復元させているが、乾燥食品の代表的なものであるインスタントラーメンを飲食することは人間の健康に良いとはいえないが、現実において健康に良くないから乾燥製品を飲食しないことは不可能に近く何らかの対策が必要とされていた。【解決手段】  本発明は、乾燥製品の復元に重水素減少水（ＤＤＷＡＴＥＲ（Ｒ））を使用する方法を開発し、重水素減少水（ＤＤＷＡＴＥＲ（Ｒ））によって復元した乾燥食品を体内に取り入れることにより、体内の重水素濃度を低下させ、病人は病気を治療することになり、健康な人をさらに健康にすることができる。【選択図】なし【特許請求の範囲】
【請求項１】
水と、８０ｐｐｍ以下の含有量の重水素を有し、又は、活性剤として、８０ｐｐｍ以下の含有量の重水素を含み、担体又は助剤と共に、製薬学的な製品或いは医薬溶液の形での、ヒトに適する水性溶液である、重水素減少水（ＤＤＷＡＴＥＲ（Ｒ））を使用して乾燥製品を復元し飲食、製品として使用できる状態にする。
【請求項２】
重水素濃度が８０ｐｐｍ以下の重水素減少水（ＤＤＷＡＴＥＲ（Ｒ））と水を使用することにより、病人は病気を治療することになり、健康な人をさらに健康になる。
【発明の詳細な説明】
【技術分野】
【０００１】  本発明は、乾燥食品、医薬品、工業用品等の水と混合することにより復元する乾燥製品を水ではなく重水素減少水（ＤＤＷＡＴＥＲ（Ｒ））を使用して復元を行うことである。
【背景技術】
【０００２】  従来、乾燥製品は水と混合することにより復元させているが、乾燥食品の代表的なものであるインスタントラーメンは飲食することは人間の健康に良いとはいえない。
【発明の開示】
【発明が解決しようとする課題】
【０００３】  しかしながら現実において、健康に良くないから乾燥製品を飲食しないことは不可能に近く何らかの対策が必要とされている。
【課題を解決するための手段】
【０００４】  本発明者等は係る課題を解決するために鋭意研究したところ、乾燥製品の復元に重水素減少水（ＤＤＷＡＴＥＲ（Ｒ））を使用する方法を開発して、本発明を提供するものである。【０００５】  すなわち本発明はガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進に最適な重水素減少水（ＤＤＷＡＴＥＲ（Ｒ））を乾燥製品の復元に使用することにより体内の重水素濃度を低下させ、病人は病気を治療することになり、健康な人をさらに健康にする。
【発明の効果】
【０００６】  以上説明したように、本発明によれば重水素濃度８０ｐｐｍ以下の重水素減少水（ＤＤＷＡＴＥＲ（Ｒ））を乾燥製品の復元に使用することにより、人間の健康に良いとはいえない乾燥食品の飲食も体内の重水素濃度を低下させることにより、ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進になり、病人は病気を治療することになり、健康な人はさらに健康になる効果がある。
【発明を実施するための最良の形態】
【０００７】  本発明は重水素減少水（ＤＤＷＡＴＥＲ（Ｒ））を乾燥製品の復元に使用し飲食することにより効果的に体内の重水素濃度を低下させる。【０００８】  重水素減少水（ＤＤＷＡＴＥＲ（Ｒ））を１００ミリリットル、２００ミリリットル、５００ミリリットル、１０００ミリリットルの袋または、容器に注入する。【０００９】  袋または、容器に注入した重水素減少水（ＤＤＷＡＴＥＲ（Ｒ））を電子レンジ、温水等で温めて乾燥製品と混合して復元させる。【００１０】  また、常温でも復元する乾燥製品に対しては、重水素減少水（ＤＤＷＡＴＥＲ（Ｒ））を温めずに使用する。【００１１】  重水素減少水（ＤＤＷＡＴＥＲ（Ｒ））を使用して復元できる乾燥製品は、乾燥食品や医薬品としてラーメン、うどん、スープの素、インスタントコーヒー、インスタントジュース、インスタント酒、インスタントリンゲル、インスタント注射液などが考えられるが、水を使用して復元するものであればどのようなものでも重水素減少水（ＤＤＷＡＴＥＲ（Ｒ））で復元することが可能であり、重水素減少水（ＤＤＷＡＴＥＲ（Ｒ））で復元した乾燥食品を飲食することにより体内の重水素濃度を低下させ、ガン、糖尿病、白血病、再生不良性貧血、不眠症の治療、重症急性呼吸器症候群（Ｓｅｖｅｒｅ  Ａｃｕｔｅ  Ｒｅｓｐｉｒａｔｏｒｙ  Ｓｙｎｄｒｏｍｅ＝ＳＡＲＳ）の治療、予防および若返り、細胞の活性化、免疫細胞の増加の促進になり、病人は病気の治療効果が得られ、健康な人はさらに健康になる効果が得られる。
(57)【要約】【課題】  従来、魚類の病気治療は抗生物質等の薬品を使用しているが、水質汚染や食用とする場合問題が無いとはいえなく何らかの対策が必要とされていた。【解決手段】本発明は、魚類の病気治療に重水素減少水（ＤＤＷＡＴＥＲ（Ｒ））を使用し治療に最適な重水素濃度の重水素減少水（ＤＤＷＡＴＥＲ（Ｒ））の中へ病気の魚類いれて飼育することにより、白点病等の魚類の病気治療が可能となる。【選択図】なし【特許請求の範囲】
【請求項１】
水と、１４０ｐｐｍ以下の含有量の重水素を有し、又は、活性剤として、１４０ｐｐｍ以下の含有量の重水素を含み、担体又は助剤と共に、製薬学的な製品或いは医薬溶液の形での、ヒトに適する水性溶液である、重水素減少水（ＤＤＷＡＴＥＲ（Ｒ））を使用して魚類の病気の治療をする。
【請求項２】
重水素濃度が１０５ｐｐｍ以下の重水素減少水（ＤＤＷＡＴＥＲ（Ｒ））と水、海水を混合することにより重水素濃度を任意に設定した重水素減少水の中で病気になった魚類を飼育することにより病気を治療する。
【発明の詳細な説明】
【技術分野】
【０００１】  本発明は、重水素減少水（ＤＤＷＡＴＥＲ（Ｒ））を使用して魚類の病気治療を行うことである。
【背景技術】
【０００２】  従来、魚類の病気治療は抗生物質等の薬品を使用しているが、水質汚染や食用とする場合問題が無いとはいえない。
【発明の開示】
【発明が解決しようとする課題】
【０００３】  しかしながら現実において、養魚施設、水族館、個人の水槽では抗生物質等の薬品が使用されており何らかの対策が必要とされている。
【課題を解決するための手段】
【０００４】  本発明者等は係る課題を解決するために鋭意研究したところ、魚類の病気治療に重水素減少水（ＤＤＷＡＴＥＲ（Ｒ））を使用する方法を開発して、本発明を提供するものである。【０００５】  すなわち本発明は白点病等の魚類の病気の治療に最適な重水素濃度の重水素減少水（ＤＤＷＡＴＥＲ（Ｒ））の中へ病気の魚類を入れることにより病気を治療する。
【発明の効果】
【０００６】  以上説明したように、本発明によれば治療に最適な重水素濃度の重水素減少水（ＤＤＷＡＴＥＲ（Ｒ））の中へ病気の魚類いれて飼育することにより、白点病等の魚類の病気治療に効果がある。
【発明を実施するための最良の形態】
【０００７】  本発明は重水素濃度１０５ｐｐｍ以下の重水素減少水（ＤＤＷＡＴＥＲ（Ｒ））と水、海水を混合して任意に設定した魚類の病気治療に最適な重水素減少水（ＤＤＷＡＴＥＲ（Ｒ））を製造する。【０００８】  重水素濃度１３５ｐｐｍの重水素減少水（ＤＤＷＡＴＥＲ（Ｒ））を大型水槽用に１０００トン製造するには、重水素濃度２５ｐｐｍの重水素減少水（ＤＤＷＡＴＥＲ（Ｒ））１００トンと９００トンの水（海水）を混合すれば１３５ｐｐｍの海水ができる。【０００９】  混合比率は、重水素濃度２５ｐｐｍの重水素減少水（ＤＤＷＡＴＥＲ（Ｒ））を使用すれば、重水素減少水（ＤＤＷＡＴＥＲ（Ｒ））１に対して水９となる。【００１０】  人間の病気にも効果がある重水素減少水（ＤＤＷＡＴＥＲ（Ｒ））を使用して魚類の病気を治療することは可能であり、飲用できる重水素減少水（ＤＤＷＡＴＥＲ（Ｒ））を使用することで水質汚染や食用とする場合の問題が無くなる。
(57)【要約】      （修正有）【課題】一般家庭、食堂、レストラン、料理店などで、昔のすし職人さんが、めざし修行している  シャリの中に空洞感のあるにぎりずしが、簡単な方法で短い時間で一度に、数ができ、誰でも気軽に楽しめる江戸前風生すしをつくる方法および型枠を提供する。【解決手段】寿司を押す押し板、胴枠、底板の三個の型を作り、このうちの胴枠を二つに分け、その間に空洞の穴が空くようにモグラ棒を取り付ける。胴枠にシャリを敷き詰め押し板で圧を加えセットをはずし、モグラ棒を抜いてシャリを軽く握る。【効果】シャリのなかに空同感のあるにぐりすしが直ぐにできあがる。【選択図】図９
2005229971.tif 000002
【特許請求の範囲】
【請求項１】
寿司を押す木型またはプラスチックで、押し板（１）、胴枠（２）、底板（３）の三個の型を作り  胴枠（２）を二つに分け胴枠板（２ａ）（２ｂ）とし胴枠（２ａ）に寿しのシャリの中心に  空洞の穴が空く様に  胴枠（２ａ）にモグラ棒（２ｓ）をとり付け押し板、胴枠、底板をセットして胴枠（２）にシャリを敷き詰め，押し板（１）で上から押し圧を加えセットをはずすと  中が空洞感のある江戸前風にぎりずしができあがり  胴枠（２ｃ）長さの異なる胴枠板（２ｂ）を取り替える事で簡単に  大小、形のちがう  生ずしができる。
【発明の詳細な説明】
【発明の詳細な説明】
【技術分野】
【０００１】この発明は  家庭で寿司職人さんいがいにも、手軽にプロのにぎり寿司がおいしく簡単に時間をかけずに、いちどに何個も数ができる考案である。
【背景技術】
【０００２】従来寿司は  手で握る職人さんや  回る回転すしのように、シャリを握りにする技術、経験又は特殊な機械で、シャリを押し圧し  カッターで切る方法があるが  中々家庭や一般の人々の中に  入りきれず簡単には作れなかったのが実情である。
【発明が解決しようとする課題】
【０００３】現在、使用されている機械（ロボット）のにぎり寿司のシャリは  押し圧したままの製法であるためシャリの中まで一定の固さになり  すし職人さんのにぎり寿司のようにシャリの中が空洞感のあるにぎり寿司でない。
【課題を解決するための手段】
【０００４】本考案は、底板（３）に胴枠（２）をセットしてすしの型掘りにシャリをひきつめ押し上蓋（１）を  軽く押し圧し  ピン（４）を  はずし胴枠（２）をはずすと胴枠にとりつけたモグラ棒（２ｓ）が  シャリのなかから抜け  シャリのなかが  空洞になり、昔の職人さんがめざした  理想の江戸前にぎりに近くなり  胴枠（２ｃ）の長さを変えることでシャリの長、短、大、小のすしのにぎりができる。
【発明を実施するための最良の形態】
【０００５】以下、図面に従って一実施例を説明する。
図において、押し蓋本体（１）と胴枠（２ｂ）モグラ棒（２ｓ）を対にし  胴枠（２）を本体とし底板（３）の上にセットしてピン金具（４）を胴枠（２）底板（３）に  取り付けた留め金具（５）にピン金具（４）を二本差しこみ胴枠（２）のすし枠に、シャリを適量ひきつめ押し板（１）で好みの固さに押し圧し  留め金具（５）からピン金具（４）を取り抜き  胴枠（２）も、前後に取り外すと  底板（３）の上にシャリのなかが空洞感の残る生ずしのにぎりが  出来上がる。【０００６】次に使用法と動作を説明する。
まず、底板（３）に胴枠（２）をセットし留め金具（５）閉め胴枠（２）にシャリを適量のせ押し蓋（１）で適当な力を加え押し圧したら留め金（５）をはずし胴枠（２）も取りはずし底板（３）に残ったシャリを  すしネタとともに合わせモグラ棒（２ｓ）のぬいた穴を軽く握り  押しつぶすとシャリの中が、空洞感のある理想のにぎりずしができあがる。
【考案の効果】
【０００７】上述のように、本考案の江戸前にぎりの型は家庭、又は食堂、料理店、レストランなど機械（ロボット）や、すしの職人さんがいなくても  生ずしのメ二ューがひとつ加えられる効果がある。
【図面の簡単な説明】
【図１】押し板の上面図
【図２】胴枠とモグラ棒、止め金具の上面図
【図３】底板と止め金具の上面図
【図４】押し蓋の正面図
【図５】胴枠と留め金正面図
【図６】胴枠と留め金の透視正面図
【図７】下台と止め金具正面図
【図８】押し板の斜視図
【図９】全体を透視して示す斜視図
【符号の説明】
１：押し板
２：胴枠
２ａ：胴枠
２ｂ；胴枠
２ｃ：半胴枠の長さ
２ｓモグラ棒
３：底板
４：ピン金具
５：留め金具
【図１】
2005229971.tif 000003
【図２】
2005229971.tif 000004
【図３】
2005229971.tif 000005
【図４】
2005229971.tif 000006
【図５】
2005229971.tif 000007
【図６】
2005229971.tif 000008
【図７】
2005229971.tif 000009
【図８】
2005229971.tif 000010
【図９】
2005229971.tif 000011
(57)【要約】【課題】  生きたイカ類を真水氷である冷却媒体に浸して活き〆冷却をすると、イカ自らが排泄したアンモニアにより体表面が変色し商品価値が低下する。この変色の解明と変色防止策を進める必要があった。【解決手段】  イカ類の活き〆冷却において、あらかじめ冷却媒体に酸性水を投入して酸性化し、イカから排泄されたアンモニアを即座に中和してイカの変色を防止するものである。【選択図】    図２
2005229984.tif 000002
【特許請求の範囲】
【請求項１】
塩分濃度０．１〜０．２％程度の塩水を有隔膜電解槽内で電解して得られる次亜塩素酸水又はその希釈水を冷却媒体（海水に砕氷を混ぜた通称ドブ氷、塩水を原水とするシャーベット氷等）に混ぜて酸性冷却媒体を作り、この中に生きたイカ類を投入して活き〆を行う方法。
【請求項２】
２％〜６％の塩酸を無隔膜電解槽内で電解して得られる微酸性次亜塩素酸水を冷却媒体に混ぜて酸性冷却媒体を作り、この中に生きたイカ類を投入して活き〆を行う。
【発明の詳細な説明】
【発明の詳細な説明】
【０００１】［発明の属する技術分野］
イカ類の鮮度保持技術の改良に関するものである。
【０００２】［従来の技術］
従来、イカの捕獲直後の活き〆冷却は、海水に砕氷を混ぜた冷却媒体（通称ドブ氷）にイカを投入する方法で行っていた。
【０００３】  図１に従来の活き〆冷却の状況をスケッチしている。今回の実験では、魚箱１（４５ｃｍｘ３５ｃｍｘ３０ｃｍの発砲スチロール箱）に砕氷した真水氷２をいれ、この中に生きた体長３５ｃｍの２匹のイカ３を投入して実験を行った。
【発明が解決しようとする課題】
【０００４】  従来の活き〆冷却方法では、イカ類は冷却媒体の中で死に至るまでに自らの排泄物に含まれるアンモニアに敏感に反応し、体表面の皮膚が変色し、その商品価値を損なう問題があった。１例ではイカ投入後、冷却媒体のｐＨ値が１１程度のアルカリ性を示すと同時にイカの体表面の色が白色化した。
【問題を解決するための手段】
【０００５】  本発明は上記のような問題点を解消するために、イカ類の捕獲直後の活き〆冷却において、あらかじめ冷却媒体（海水に砕氷を混ぜた通称ドブ氷や塩分を含む水で製造したシャーベット氷等）に酸性電解水を投入して酸性化し、イカから排泄されたアンモニアを即座に中和してイカがアンモニアにさらされることを防いで、その変色を防止するものである。
【発明を実施するための最良の形態】
【０００６】  このようにして製造された電解酸性水を含んだ冷却媒体（海水に砕氷を混ぜた通称ドブ氷や塩分を含む水で製造したシャーベット氷等に電解酸性水を混入したもの）に、捕獲されたイカ類を投入して活き〆冷却を行うと、イカがアルカリ性排泄物を出しても即座に中和され、ｐＨ値がアルカリ側に移行することは無い。このためにイカの体色が変化しなくなり、商品価値が向上する。【０００７】  この発明に基づく実施例を図２に示している。魚箱１（４５ｃｍｘ３５ｃｍｘ３０ｃｍの発砲スチロール箱）に電解酸性水のシャーベット氷４を入れ、この中に生きた体長３５ｃｍの２匹のイカ５を投入した。
【発明の効果】
【０００８】イカの活き〆の過程で体色変化が無くなり、ほぼ捕獲時の体色を２日間に亘って維持した。
【０００９】  この電解酸性水を含む冷却媒体（シャーベット氷でｐＨ＝５）と海水に真水氷を混ぜた冷却媒体（通称ドブ氷）を使用した場合のイカの変化について、２日後の官能検査（目視）とｐＨ測定の結果は、以下の通りであった。
（１）電解酸性水を含む冷却媒体（シャーベット氷でｐＨ＝５）に浸したイカは２日間ほとんど体色の変化は無く、生きているときの透明感のある色のままであった。ｐＨは５から６．４に移行していたが依然として酸性側にあった。
（２）真水氷である冷却媒体（通称ドブ氷でｐＨ＝７．３）に浸したイカの腹側の体表面は薄い青紫がかった白濁色になった。ｐＨは８．６に移行していた。
（３）さらに次のような所見も得られた。
・ドブ氷のほうはイカの背中側、腹側とも黒い斑点が多い。特にイカの縁部分は凹凸があり変色が顕著である。
・シャーベット氷のほうは活きた状態の透明感のある色のままである。
【図面の簡単な説明】
【００１０】
【図１】従来一般的に用いられている真水氷によるイカの活き〆方法を示した図である。
【図２】本発明による電解酸性水を含んだシャーベット氷を利用したイカの活き〆方法を示した図である。
【符号の説明】
１  発泡スチロール製魚箱
２  真水氷
３  イカ
４  電解酸性水を含んだシャーベット氷
５  イカ
【図１】
2005229984.tif 000003
【図２】
2005229984.tif 000004
(57)【要約】【課題】コーヒー本来が持つ味やコクを最大限に引き出すコーヒーを作ること。【解決手段】コーヒーにチャーガを混合することにより、チャーガの強い抗酸化作用でコーヒーの酸化が抑制されるため、コーヒー本来の味を損なわずコクのあるコーヒーが出来る。【特許請求の範囲】
【請求項１】
チャーガの粉末又はその成分の抽出物をコーヒーの粉末又は液体に混合したもの。
【発明の詳細な説明】
【技術分野】
【０００１】この発明はキノコのチャーガとコーヒーの混合物を作ることによりコーヒーの味及びコクを最大限に引き出そうとするものである。
【背景技術】
【０００２】従来、コーヒーのコクを出すためにはせいぜい焙煎時間を長くするなどの方法しかなく、これもコーヒー本来の味を損なうなど十分な効果は得られていない。
【発明の効果】
【０００３】このような混合物を作れば、チャーガの強い抗酸化力によりコーヒーの酸化が防がれ、コーヒー本来の味、つまり焙煎直後の味を強く引き出すことが出来る。
【発明を実施する最良の形態】
【０００４】コーヒーは元来嗜好品であるため、コーヒーが本来もつ味を最大限に出せれば、消費者がより味を楽しむことが出来る。又、味が強く出れば、その分コーヒーの量を減らすことも出来るので経済的でもある。一方、チャーガは健康食品として利用されているが、味が殆んどないため、この混合物はコーヒーの味を楽しみながら健康に供することも出来る。
(57)【要約】【課題】  楔が簡単にパイプに手で差し込め又抜けるようにし、且つ天糸・道糸の引っ張りにはぬけないようにする。【解決手段】  パイプの太さはリリアンの２倍程度にし、その材質は硬軟質なもの（塩化ビニール等）を使用。楔の太さはパイプと同程にしパイプに差し込んだ後、竿先リリアン側を強く止まるまでひく。【選択図】  図３
2005229987.tif 000002
【特許請求の範囲】
【請求項１】
リリアンの先に楔を取り付け、リリアンをパイプに中通ししたもの。
【発明の詳細な説明】
【技術分野】
【０００１】  リリアンの楔を、中通ししたパイプに差し込む事により、掛けた乳輪が道糸・天糸の引っ張りによって抜けないようにした。
【背景技術】
【０００２】  リリアンへの道糸・天糸の緊結方法は乳輪掛けが一般的であるが、掛け方によっては使用中に外れる事がある。又結び方によっては解くことが困難で釣り仕掛の交換が簡単ではなかった。
【発明の開示】
【発明が解決しようとする課題】
【０００３】  簡単に仕掛を緊結と解く事ができるようにし、且つ操作中に簡単に外れないようにする。
【問題を解決するための手段】
【０００４】  竿先１のリリアン２をパイプ３に通しリリアンの先端に楔４を取り付ける。楔とパイプの中間に乳輪５を掛け、楔をパイプ差し込む。
【発明の効果】
【０００５】  道糸・天糸の引っ張りに因って楔が抜けなくなり、仕掛がはずれない。
その反面、仕掛けの緊結・解きが簡単になった。
【図面の簡単な説明】
【０００６】
【図１】  使用する部分図
【図２】  竿先にリリアン・パイプ・楔を装着した図
【図３】  使用する時の図
【符号の説明】
【０００７】  １．竿先    ２．リリアン  ３．パイプ  ４．楔  ５．道糸・天糸の乳輪
【図１】
2005229987.tif 000003
【図２】
2005229987.tif 000004
【図３】
2005229987.tif 000005
(57)【要約】      （修正有）【課題】球根や生育の早い苗の植えかえ時に苗が弱らないように腐食する苗育成鉢で育成した苗を鉢ごと大きな鉢に植え込む事が出来、植込後散水する度に腐食が一層進み、腐食する苗育成鉢に加えてある肥料が溶け生育を助長することをねらう。【解決手段】オガクズや古紙及び落葉を細かく砕き熱処理し、育成肥料と糊料を加え鉢状の形に流し込んで成形した植木鉢。【選択図】図１
2005229985.tif 000002
【特許請求の範囲】
【請求項１】
オガクズや落葉及び古紙に育成肥料を加え植木鉢に成形する
【発明の詳細な説明】
【考案の詳細な説明】
【考案が解決しょうとする課題】
球根や生育の早い苗は大きな鉢に植えかえる時に苗が弱ってしまう事が多い腐食する苗育成鉢は  苗を腐食する苗育成鉢から抜かずに腐食する苗育成鉢ごと大きな鉢に植え込むことが出来き腐食する苗成育鉢の腐食とともに腐食する苗成育鉢に含まれる育成肥料が溶けだし苗の成育を助ける
【課題を解決するための手段】
ビニールや陶器類は半永久的なのに対して腐食する苗育成鉢はオガクズや落葉及び古紙を細かく砕き熱処理し育成肥料と糊料を加え鉢状の形に流し込み腐食する苗育成鉢体１が出来る腐食する苗育成鉢体１で生育した苗が植えてあるままの状態で既製の植え替え用鉢体２に土体４を入れ植え込み散水する都度に腐食する苗育成鉢の腐食が進み腐食する苗育成鉢に含まれる育成肥料体３が溶けだし苗の成長を助長する
【考案の効果】
球根や生育の早い苗は  鉢を植えかえる時に弱りやすいそのためにあらかじめ大きな鉢に植え込む事が多く広い場所が必要であり長い時期その状態にしておくと鉢の土が堅くなり水捌けが悪くなり肥料も効きにくくなる腐食する苗成育鉢は苗の生育に応じて大きな鉢に腐食する苗生育鉢を苗を抜くことなくそのまま植え込む事が出来腐食する苗生育鉢の腐食がともに腐食する苗育成鉢に含まれる育成肥料が生育を助長する
【図面の簡単な説明】
【図１】腐食する苗生育鉢の断面図
【図２】腐食する苗生育鉢を既製の植え替え用鉢体に植え込みの断面図
【図３】腐食する苗生育鉢の平面図
【図４】腐食する苗生育鉢の側面図
【符号の説明】
１  腐食する苗育成鉢体
２  既製の植え替え用の鉢
３  成育肥料
４  土
【図１】
2005229985.tif 000003
【図２】
2005229985.tif 000004
【図３】
2005229985.tif 000005
【図４】
2005229985.tif 000006
(57)【要約】【課題】犬等の散歩は飼い主の責任において環境、マナーを守って地域の交流を図り糞尿等の問題を解決する容器を発明する。【解決手段】  図１は、開いたがま口形をなす弾力性カバーの一方側に把っ手を設け、その把っ手の取り付け基部にワイヤーの中間を掛けるとともにそのワイヤーの先端を他方側の開口部に固定する。図２はそのワイヤー基部を把っ手下部に上下スライド可能に設け、図６フットペダルに固定した他方側カバーがフットペダルの引き下げにより閉じられると共にフットペダルを引き上げにより他方側カバーが開くようにし、図１のカバーの内部に周線に沿ってリング掛止部を設けリングに装着したレジ袋を掛止めする為設けた事を特徴とする。図４は、リング形状は長方形をなし断面は円形状で材質に弾力がありリング折曲部を帯状とし、レジ袋の装着形状を保つ機能を有する簡易糞尿処理器。【選択図】  図２
2005229989.tif 000002
【特許請求の範囲】
【請求項１】
開いたがま口形をなす弾力性カバーの一方側に把っ手を設け、その把っ手の取り付け基部にワイヤーの中間を掛けるとともにそのワイヤーの先端を他方側の開口部に固定し、そのワイヤー基部を把っ手下部に上下スライド可能に設けてフットペダルに固定した他方側カバーがフットペダルの引き下げにより閉じられると共にフットペダルを引き上げにより他方側カバーが開くようにし、カバーの内部に周線に沿ってリング掛止部を設けリングに装着したレジ袋を掛止めする事を特徴とする簡易糞尿処理器。
【請求項２】
リング形状は長方形をなし断面は円形状で材質に弾力がありリング折曲部を帯状とし、レジ袋の装着形状を保つ機能を有する請求項１記載の簡易糞尿処理器。
【発明の詳細な説明】
【技術分野】
【０００１】  本発明は犬等の歩行中の簡易糞尿処理器に関するものである。
【背景技術】  飼い主と犬の散歩を多く見かけますが飼い主各自が犬の糞尿対策を考えバックやビニール袋をもったりして糞尿の処理をしていますが、やはり下に糞を落としてからの処理なので犬が落とした後すぐに動いてしまいそのまま過ぎ去っていく人も見かけます。従来犬等の糞をボックスに収めて処理する用具が提案されているが（特許文献１）犬の糞等をボックスに収める作業は大変面倒である。【０００２】
【特許文献１】特開２００３−２３８９９
【０００３】  そこで犬が糞を下に落とす時動きが止まるので、そこを処理できれば大半は解決できると思います。これからの飼い主は環境やしつけ、マナーが問われ、地域に迷惑をかけない飼い方が必要とされます。【０００４】  糞尿を地面に落としてからの処理ですと芝生や側溝等、処理しにくい場所ではのこってしまい、衛生的にもあまり良く無い。
【発明の開示】
【発明が解決しようとする課題】
【０００５】  これまでの背景は飼い主が番犬用として接してきた為、あまり地域、環境、マナー等は感心が薄かった為犬等の糞尿やなき声には気がつきにくかったが、近年犬等の飼い方が多様化し、家族の一員や自分の友としての志向が多くなって来た為、環境や地域、マナー等が問われるようにり、飼い主の責任になってきた。
【課題を解決するための手段】
【０００６】  本発明簡易糞尿処理器は、開いたがま口形をなす弾力性カバーの一方側に把っ手を設け、その把っ手の取り付け基部にワイヤーの中間を掛けるとともにそのワイヤーの先端を他方側の開口部に固定し、そのワイヤー基部を把っ手下部に上下スライド可能に設けてフットペダルに固定した他方側カバーがフットペダルの引き下げにより閉じられると共にフットペダルを引き上げにより他方側カバーが開くようにし、カバーの内部に周線に沿ってリング掛止部を設けリングに装着したレジ袋を掛止めする事と共に、リング形状は長方形をなし断面は円形状で材質に弾力がありリング折曲部を帯状とし、レジ袋の装着形状を保つ機能を有する事を特徴とする。
【発明の効果】
【０００７】  本発明の簡易糞尿処理器は、軽量な抗菌プラスチック等を使用し、中の脱着用包装はレジ袋を使用するのでコスト的にもあまり負担がかからないし、片手片足で操作でき形状、機能等をコンパクトにまとめ片手、片足で操作出来る用にして外形以外はコスト的にもさほどかからない機能にしたことが利点である。
【発明を実施するための最良の形態】
【０００８】  図１は、開いたガマ口形態で整形し片方にワイヤーの先端を止め、把っ手を設けた片方基部にワイヤーの中間を通しフットペダルに結合する。カバーの週線にそってリングを固定する掛止部を設ける。【０００９】  図２は、リングにレジ袋を加工し、３カバーに装着する。把っ手は上下に調節出来る。【００１０】  図３、図４は、３カバーにリングに成形したレジ袋を装着した上を７マグネットカバーで止め外れないようにすると共に万一糞を地面に落としても処理器に回収出来るように段差をなくす。【００１１】  図５は、カバーの側面から見た形で左側のカバーにくぼみを付け簡易の飲料等の役目に使用し、右側のカバーは４把っ手とフットペダルを取り付ける。【００１２】  図６は、９フットペダルを装着し、ペダルが上がるとカバーが開きペダルが下がるとカバーが閉じるようにフットペダルでカバーの開閉を行う。【００１３】  図７は、リングを用いてレジ袋を加工する為の図で、Ａ図レジ袋をＢ図の用にリングの内側から入れ約半分位レジ袋を入れたらリングの内側から外に開きリングを包むように外に折り整える、整えたらリング付レジ袋を掛止部に装着する。使用した後はリングとレジ袋を脱着すればリングを外してレジ袋を処分する。
【産業上の利用可能性】
【００１４】  この簡易糞尿処理器を使用することによって各自犬等の散歩中でも安心して出出かけられるし、環境も保たれ、各自のマナーも向上しますし、糞尿を持ち帰って利用して植物の肥料にも利用できる。
【図面の簡単な説明】
【００１５】
【図１】簡易糞尿の外形、内部を示す斜視図。
【図２】カバーと、リングとレジ袋の合体図の装着状態を示す斜視図。
【図３】カバーの開閉。
【図４】カバーとリングの装着の断面図。
【図５】簡易糞尿処理器の側面図。
【図６】フットペダルを取り付け状態の背面図。
【図７】リングとレジ袋の加工方法を示す展開図。
【図８】全体斜視図。
【図９】使用状態を示す模式図。
【符号の説明】
【００１６】１    掛止部
２    ワイヤー
３    リング
４    カバー
５    把っ手
６    把っ手スライド部
７    レジ袋
８    マグネットカバー
９    カバーくぼみ
１０  フットペダル
【図１】
2005229989.tif 000003
【図２】
2005229989.tif 000004
【図３】
2005229989.tif 000005
【図４】
2005229989.tif 000006
【図５】
2005229989.tif 000007
【図６】
2005229989.tif 000008
【図７】
2005229989.tif 000009
【図８】
2005229989.tif 000010
【図９】
2005229989.tif 000011
(57)【要約】【目的】雑草の葉、茎、根を同時に傷付ける草取用具【構成】多数の金属の刃で作った草取用具【選択図】図１
2005229988.tif 000002
【特許請求の範囲】
【請求項１】
多数の斜めの刃で雑草の葉、茎、根を傷付ける草取用具
【発明の詳細な説明】
【発明の詳細な説明】
この発明は、草の上部を削るのではなく、大きくならない内に、斜めの角度の刃で葉、茎、根を傷付け、生えてこないようにするものです。
草は、真直ぐに土に中で根を張るので、斜めから刃を入れることで、根にダメージを与えます。雑草は１回取れば良いというものでなく、何回でも生えて切りがありませんし、腰痛の原因にもなります。
この発明用具を使うことで、雑草はそのまま放置しておくと、堆肥となります。草削りですと根は残りますし、スコップだと大変な労力を必要とします。今、ガーデニングや家庭菜園の無駄な労力を省くために、本発明を使うことで問題を解決したものである。
【図面の簡単な説明】
【図１】本発明の草取用具の横から見た図
【図２】刃の部分の拡大図
【図３】本発明を使用した時の図
【符号の説明】
１は柄    ２は刃    ３は雑草
【図１】
2005229988.tif 000003
【図２】
2005229988.tif 000004
【図３】
2005229988.tif 000005
(57)【要約】【課題】  今までの乾燥肉は保存食としての意味合いが強すぎて、硬いのが当たり前であった。しかしそれでは老若男女すべてが食すことができず、特に高齢者や歯の弱かったり、口腔内に障害がある方には食べられないことが多々あった。それでは保存食としては完璧ではなく、乾燥牛肉のもつ本来の保存食としての価値を生かしながら、しかも食べやすくすることで、前記の肉体的弱者でも容易に食することができるようにした。【解決手段】  乾燥牛肉を乾燥牛肉圧迫機に内蔵してある、表面を凸凹処理しているステンレス製のローラー間を通すことにより本来乾燥牛肉にある繊維質を崩して柔らかくした。【選択図】図１
2005229970.tif 000002
【特許請求の範囲】
【請求項１】
乾燥牛肉を金属ローラーで伸ばしたことを特徴とするジャーキー。
【請求項２】
金属ローラーをかけることにより、繊維質を露出させ裂きやすくしたことを特徴とするジャーキー。
【発明の詳細な説明】
【技術分野】
【０００１】この発明は、乾燥牛肉の形状に関する。
【背景技術】
【０００２】従来のビーフジャーキーと呼ばれる乾燥牛肉は、牛肉を裁断、味付け、乾燥したものである。
【発明の開示】
【発明が解決しようとする課題】
【０００３】  従来技術によれば、乾燥牛肉は保存用としての観点から味付け、乾燥、したのもだけだったが。それでは食品としては硬く食べにくかった。特に高齢者や歯や口腔内に障害がある者の食品としては適していなかった。そこで、この発明はその硬さに関する問題を解決し、全年齢層や歯の弱い方にも問題なく食すことを可能にした製品である。そしてさらに本来の保存食としての乾燥牛肉の保存性をそこなうことなく賞味期限が１年と長く、災害時の非常用食品としても最適の食品となっている。
【課題を解決するための手段】
【０００４】以上の課題を解決するために請求項１の発明は、乾燥牛肉を金属製特殊ローラーで圧迫したことを特徴とした乾燥牛肉である。
また、請求項２の発明は金属製ローラーで圧迫することにより肉の繊維質を露出させる技術をほどこした乾燥牛肉である。
【発明の効果】
【０００５】第一発明、第二発明によれば、乾燥牛肉をほぐす処理をしたので、老若男女を問わずまた歯の丈夫でない者でも食べられるようになった。
【発明の実施するための最良のの形態】
この発明の一実施形態を、図１に示す。
【０００６】のし乾燥牛肉製造用の金属製ローラー本体１はスチールおよびステンレス製であり、本体１内に設置されている金属製ローラーはステンレス製で表面には図２に示すように表面を凸凹にして肉の繊維質が露出しやすくするよう特殊な表面処理をしている。胴体はスチール製である。
【０００７】「実施形態の効果」
ローラー圧迫処理をされた乾燥牛肉はふんわりとした、手でほぐすことのできるほど柔らかい製品になっている。
【０００８】「他の実施形態」
ローラーの表面処理を更に改良し、凸凹から針のような突起物に変更することで、肉の繊維質を切断しさらにやわらかい製品が見込める。
【産業上の利用の可能性】
【０００＊】
【図面の簡単な説明】
【０００９】
【図１】  この発明の実施形態を示す斜視図である。
【図２】  この発明のローラー部を拡大した斜視図である。
【符号の説明】
１  ハンドル部    ２  乾燥牛肉圧迫機本体    ３  乾燥牛肉    ４  ローラー部
【図１】
2005229970.tif 000003
【図２】
2005229970.tif 000004
(57)【要約】      （修正有）【課題】リモコンの形状に関係なく保持できデッドスペースが生じないリモコンラックを提供すること。【解決手段】１つ、又は複数のリモコンを収納するリモコンラックであって、リモコンラックを形成する筐体１の内部に、筺体１の長さ方向に対向する内側の両面に、ブラシ２を垂直方向に一定の幅を持たせ、又ブラシ２同士が対向する先端部分には、一定の空間３を有するように形成し植毛され構成している。【選択図】図１
2005229558.tif 000002
【特許請求の範囲】
【請求項１】
リモコンを収納するリモコンラックにあって、該リモコンラックを形成する筺体内部に柔軟性のあるブラシを植毛し、該ブラシを利用して１つ、又は複数のリモコンを間仕切りなしで保持収納できるよう構成されたことを特徴とするリモコンラック。
【請求項２】
筐体内に植毛したブラシは、収納したリモコンの形状にかかわらず、該リモコン同士が寄り掛かって機能ボタン（以降ボタンと言う）を圧迫しないよう、常に安定した状態で保持させるため、ブラシの形状及び、該ブラシの植毛範囲、又対向するブラシ同士の先端部は一定の空間を設け構成されたことを特徴とする請求項１記載のリモコンラック。
【発明の詳細な説明】
【発明の詳細な説明】
【技術分野】
【０００１】本発明は、リモコンの収納方法を追及したリモコンラックに関するものである。
【背景技術】
【０００２】現在市販されているリモコンラックは、適当な大きさに間仕切りで区分されリモコンが複数収納できるものが、木製、又は、プラスチック等で形成されそれなりの収納効果は上げている。
【発明が解決しようとする課題】
【０００３】しかし、現在市販されているリモコンラックは、間仕切りの間隔が可変可能と不能の両タイプがあり、どちらのタイプであっても、リモコンを幾つか収納した場合に生じる、トータルの厚みに必要なスペースと間仕切りによるスペースとが、ピタリとマッチすることは非常に稀であり、僅かな厚みの違いで入りきらず、結果的にデットスペースが生じてしまい無駄が生まれる。その無駄なスペースのせいでリモコン同士が折り重なって間仕切り板等に倒れ掛かり、リモコンのボタンを圧迫することとなり、その結果通電し、電源に使用している電池を無駄に消耗させることになる。
又、間仕切りを取り払って無造作に一括して入れた場合などでも、収納状態によっては、リモコンのボタンを圧迫することとなり、同様の結果を招く。
【０００４】昨今リモコンを必要とした電子機器は増加傾向にあり、該電子機器の多機能化により、リモコンの機能も増え、ボタンの増加、及び形状の変化等、過去のものと比較して複雑な回路を構成したリモコンもあり、前記した事項はリモコンの電源である電池の無駄な消耗はもとより、該リモコンの回路保全のためにも避けなければならない。
【課題を解決する手段】
【０００５】本発明は１つ、又は複数のリモコンを収納するリモコンラックを形成する筺体を平面より見て、該筺体長さ方向に、対向する内側の両面に柔軟性のあるブラシを、垂直方向に一定の幅を持たせ、又、ブラシ同士が対向する先端部は一定の空間を有するように植毛し構成されている。
【発明の実施と形態】
【０００６】本発明の構成を図１及び図２によって説明する。
リモコンラックを形成する筺体１の長さ方向に対向する内側の両面に、ブラシ２を垂直方向に一定の幅を持たせ、又ブラシ２同士が対向する先端部分には、一定の空間３を有するように形成し植毛され構成している
【実施例】
【０００７】本発明の実施例を図３及び図４によって説明する。
リモコン４の厚さ方向が、リモコンラック筐体１に植毛されたブラシ２と直角に接する向きにし、リモコン４の下側が筺体１の底面に接する迄ブラシ２に挿入し収納することにより、リモコン４は、縦横厚さの一定範囲がブラシ２に保持される。又、リモコン４のボタン５にブラシ２が接触しても柔軟性のある該ブラシ２によりボタン５は圧迫されることはない。【０００８】リモコン４を複数収納する場合は、該リモコン４の形状に関係なく、それぞれ一定の間隔を開けてブラシ２に挿入することによりリモコン４の縦横厚さの一定範囲がブラシ４によって保持される。
【発明の効果】
【０００９】本発明は以上説明したような形態で実施され、以下に記載されるような効果を奏する。
【００１０】リモコン収納範囲をブラシで形成したことにより、１つ、又は複数のリモコンが形状に関係なく保持収納できデットスペース等の無駄が起こらない。
【００１１】リモコンは、ブラシにより縦横厚さの一定範囲が保持されるため、複数のリモコンを収納しても、一定の間隔を開けて収納することにより、リモコン同士が折り重なったりしてボタンを圧迫するようなことは起きない
【００１２】前記したように、ブラシは一定範囲を保持する力は十分あるが、リモコンのボタン等面積の小さい凸部に接触しても、ブラシの柔軟性によりボタンを圧迫することはない。
【００１３】簡単な構造なため安価である。
【図面の簡単な説明】
【図１】本発明のリモコンラックを示す平面図である。
【図２】本発明のリモコンラックを示す縦断面図である。
【図３】本発明のリモコンラックの実施例を示す平面部分断面図である。
【図４】本発明のリモコンラックの実施例を示す縦断面図である。
【符号の説明】
１：筺体
２：ブラシ
３：空間
４：リモコン
５：ボタン
【図１】
2005229558.tif 000003
【図２】
2005229558.tif 000004
【図３】
2005229558.tif 000005
【図４】
2005229558.tif 000006